(57)【要約】      （修正有）【課題】巻尺をベルトクリップより取り外す際に、巻尺に設けるロック用プレートを、同ガイドからスムーズに引き出すことができる巻尺用ベルトクリップを提供する。【解決手段】巻尺に設ける係合部材と係合して、係合部材とともに巻尺を本体上に固定保持する保持部を備え、かつ本体の背面に、使用者のベルトに係着するための係着手段を備える。保持部は、巻尺に設けた係合部材を上方に有する入り口より下方にスライド挿入でき、かつ挿入した係合部材を所定の係合手段と係合して保持部内に固定保持する。保持部のスライド挿入路は、挿入路両側に係合部材の辺部と遊嵌するガイドを設けていて、少なくともガイドにより係合部材を案内する。【選択図】図１
0003156562.tif 000002
【実用新案登録請求の範囲】
【請求項１】
本体の前面に、巻尺に設ける係合部材と係合して同係合部材とともに巻尺を本体上に固定保持する保持部を備え、かつ本体の背面に、使用者のベルトに係着するための係着手段を備える巻尺用ベルトクリップであって、前記保持部内に収容している前記係合部材の係合を解除して保持部内から取り出す際に、係合部材を保持部内の取り出し易い位置に移動できるように構成してなる巻尺用ベルトクリップ。
【請求項２】
前記保持部は、巻尺に設けた係合部材を上方に有する入り口より下方にスライド挿入でき、かつ挿入した係合部材を所定の係合手段と係合して同保持部内に固定保持するとともに、係合手段による係合を解除した係合部材を、保持部の入り口方向に上昇移動できるように構成してなる請求項１に記載の巻尺用ベルトクリップ。
【請求項３】
前記保持部のスライド挿入路は、挿入路両側に係合部材の辺部と遊嵌するガイドを設けていて、少なくとも同ガイドにより係合部材を案内するように構成してなる請求項２に記載の巻尺用ベルトクリップ。
【請求項４】
前記保持部のスライド挿入路における路面は、所定の摩擦低減処理を行っていて、挿入する係合部材の摺動摩擦を低減できるように構成してなる請求項２に記載の巻尺用ベルトクリップ。
【請求項５】
前記係合手段は、係合部材に係合させる係止爪部と、係合を解除した係合部材をスライド挿入路の入り口方向に上昇移動させる移動片部よりなるアーム体であって、所定の部位に支持する同アーム体をスライド挿入路の路面にほぼ平行に回転させることによって同挿入路内の係合部材に係合している係止爪の係合を解除でき、さらにアーム体を回動させることによって移動片が係合部材を上昇移動できるように構成してなる請求項２に記載の巻尺用ベルトクリップ。
【請求項６】
前記係合部材を上昇移動させた際、係合部材の少なくとも上部をスライド挿入路の入り口から外方に出すことができるように構成してなる請求項５に記載の巻尺用ベルトクリップ。
【請求項７】
前記アーム体の係止爪を、スライド挿入路におけるスライド挿入方向に沿う一辺に配設し、移動片を、同挿入路におけるスライド挿入方向の先端に配設してなる請求項５に記載の巻尺用ベルトクリップ。
【請求項８】
前記係止爪は、保持部に係合部材が挿入されていない状態では、保持部のスライド挿入路上に突出していて、同挿入路に進入した係合部材によって強制的に退けられて同係合部材の進入を許し、かつ進入する同係合部材の係合部が到達すると、同係合部内に自動進出して少なくとも係合部材の退出を阻止できるように構成してなる請求項５に記載の巻尺用ベルトクリップ。
【請求項９】
前記係着手段は、保持部を設けたクリップ本体の背面上部から後方に垂下し、同クリップ本体の背面との間にベルトを入れることのできる空間を形成するクリップ片からなっていて、これらクリップ本体とクリップ片のうち少なくともいずれか一方は弾性を有しているとともに下部間が外力によって離間可能であり、かつ弾性復元力によって初期位置に復帰できるように構成してなる請求項１に記載の巻尺用ベルトクリップ。
【考案の詳細な説明】
【技術分野】
【０００１】
本考案は、巻尺を携帯するため作業者の腰ベルトに係着して用いる巻尺用ベルトクリップに関する。
【背景技術】
【０００２】
従来、作業者の腰ベルトに係着したクリップ本体に、巻尺に装着した係合部材たるロック用プレートを同クリップ本体に備える係合手段たるストッパで係止して、巻尺をクリップ本体に脱落不能に保持できるように構成した巻尺用のベルトクリップがある（例えば、特許文献１参照）。
【０００３】
この種のベルトクリップは、巻尺に装着したロック用プレートをベルトクリップ本体の保持部にスライド挿入するとともに、同本体に備えるストッパを同ロック用プレートに係合させて、巻尺をベルトクリップ上に安全に保持できるようにしている。
【０００４】
そして、巻尺に装着するロック用プレートは矩形に形成されることが多く、ベルトクリップ本体に備えるストッパがロック用プレートに容易に係合できるように、また、ベルトクリップ上に保持する巻尺の保持状態が安定するようにしている。
【０００５】
しかしながら、巻尺をベルトクリップから取り外す際、巻尺に装着したロック用プレートをベルトクリップ本体の保持部より引き出す動作は同巻尺を携帯する者によって行われるので、引き出し途中におけるロック用プレートの動きは人それぞれで異なるのが普通であり、したがって、人によっては引き出し方向にスライド移動しているロック用プレートが左右に振れ、同ロック用プレートの左右辺部や同上縁角部等の部位と保持部の案内路面とが小刻みに接触し、ロック用プレートを同保持部よりスムースに引き出せないことがある。
【０００６】
これにより、巻尺をベルトクリップから取り外している際に巻尺を落としてしまうおそれがあって、特に、高所で作業している時に巻尺が落下した場合は、落下した巻尺により二次災害を発生させてしまうおそれもあることから、前述するロック用プレートを保持部よりスムースに引き出せないことは非常に危険なことであった。
【０００７】
また、ロック用プレートの左右辺部や同上縁角部等の部位との接触によってベルトクリップ本体における保持部の案内路面上に傷が生じることもあって、傷が拡張した場合は、巻尺に装着しているロック用プレートの角部等が傷に食い込み、巻尺を同保持部より引き出すことが困難になるおそれもあった。
【０００８】
【特許文献１】特開２００４−６６３７７号公報（第１〜５頁、図１〜９）
【考案の概要】
【考案が解決しようとする課題】
【０００９】
本考案の目的とするところは、巻尺をベルトクリップより取り外す際、同巻尺に装着しているロック用プレートをベルトクリップ本体の保持部からスムースに引き出すことができるようにして、巻尺を安全にベルトクリップより取り外すことができる巻尺用ベルトクリップを提供できるようにすることにある。
【課題を解決するための手段】
【００１０】
上述した課題を解決するために、本考案に係る巻尺用ベルトクリップは、本体の前面に、巻尺に設ける係合部材と係合して同係合部材とともに巻尺を本体上に固定保持する保持部を備え、かつ本体の背面に、使用者のベルトに係着するための係着手段を備える巻尺用ベルトクリップであって、前記保持部内に収容している前記係合部材の係合を解除して保持部内から取り出す際に、係合部材を保持部内の取り出し易い位置に移動できるように構成したものとしてある。
【００１１】
また、前記保持部は、巻尺に設けた係合部材を上方に有する入り口より下方にスライド挿入でき、かつ挿入した係合部材を所定の係合手段と係合して同保持部内に固定保持するとともに、係合手段による係合を解除した係合部材を、保持部の入り口方向に上昇移動できるように構成したものとしてある。
【００１２】
また、前記保持部のスライド挿入路は、挿入路両側に係合部材の辺部と遊嵌するガイドを設けていて、少なくとも同ガイドにより係合部材を案内するように構成したものとしてある。
【００１３】
また、前記保持部のスライド挿入路における路面は、所定の摩擦低減処理を行っていて、挿入する係合部材の摺動摩擦を低減できるように構成したものとしてある。
【００１４】
また、前記係合手段は、係合部材に係合させる係止爪部と、係合を解除した係合部材をスライド挿入路の入り口方向に上昇移動させる移動片部よりなるアーム体であって、所定の部位に支持する同アーム体をスライド挿入路の路面にほぼ平行に回転させることによって同挿入路内の係合部材に係合している係止爪の係合を解除でき、さらにアーム体を回動させることによって移動片が係合部材を上昇移動できるように構成したものとしてある。
【００１５】
また、前記係合部材を上昇移動させた際、係合部材の少なくとも上部をスライド挿入路の入り口から外方に出すことができるように構成したものとしてある。
【００１６】
また、前記アーム体の係止爪を、スライド挿入路におけるスライド挿入方向に沿う一辺に配設し、移動片を、同挿入路におけるスライド挿入方向の先端に配設したものとしてある。
【００１７】
また、前記係止爪は、保持部に係合部材が挿入されていない状態では、保持部のスライド挿入路上に突出していて、同挿入路に進入した係合部材によって強制的に退けられて同係合部材の進入を許し、かつ進入する同係合部材の係合部が到達すると、同係合部内に自動進出して少なくとも係合部材の退出を阻止できるように構成したものとしてある。
【００１８】
また、前記係着手段は、保持部を設けたクリップ本体の背面上部から後方に垂下し、同クリップ本体の背面との間にベルトを入れることのできる空間を形成するクリップ片からなっていて、これらクリップ本体とクリップ片のうち少なくともいずれか一方は弾性を有しているとともに下部間が外力によって離間可能であり、かつ弾性復元力によって初期位置に復帰できるように構成したものとしてある。
【考案の効果】
【００１９】
本考案の巻尺用ベルトクリップによれば、クリップ本体との係合を解除してスライド挿入路内に保持している同巻尺に設けた係合部材を、機械的に同挿入路内を上昇移動できるようにしているので、同係合部材の上昇動作を大幅に安定させることができる。
【００２０】
また、係合部材の上部をスライド挿入路による保持が解除される位置に移動させているので、これ以後の係合部材の取り出しを作業者自身が行っても係合部材と同挿入路面とが引っ掛かる可能性はゼロに等しく、かつスライド挿入路内に残る部位の上昇移動も安定して、同係合部材をスライド挿入路内からスムースに引き出すことができる。
【００２１】
したがって、巻尺に設けた係合部材をスムースにクリップ本体のスライド挿入路内から出せるので、同係合部材を設けた巻尺も安定した状態でベルトクリップから取り外すことができて、巻尺の取り外し時に生じるおそれのあった同巻尺の落下のおそれを格段に低減することができる。
特に、高所作業時には、落下した巻尺による二次災害の発生率の低減を大いに期待できる。
【００２２】
また、巻尺に設けた係合部材がスムースにクリップ本体のスライド挿入路内を上昇移動できるので、同挿入路面と係合部材が接触することによって生じる挿入路面上の損傷を低減できて、本ベルトクリップを長期に亘り安定して使用することができる。
【図面の簡単な説明】
【００２３】
【図１】本考案に係る巻尺用ベルトクリップを示す斜視図。
【図２】ロック用プレートをクリップ本体に固定保持した状態を示す斜視図。
【図３】固定を解除したロック用プレートの動きを示す図。
【図４】巻尺を保持するベルトクリップをアーム体側より見ている図。
【図５】ロック用プレートを取り付けた巻尺を示す斜視図。
【図６】ベルトに係着したベルトクリップを示す斜視図。
【考案を実施するための最良の形態】
【００２４】
本考案に係る巻尺用ベルトクリップは、図１に示すように、クリップ本体１の前面に、巻尺に設ける係合部材たるロック用プレート２をクリップ本体１上に固定保持するための保持部３を配し、クリップ本体１の背面に、ベルトに係着するための係着手段たるクリップ片４を配している。
【００２５】
保持部３は、前記ロック用プレート２を固定保持する部位であって、同図上における上下方向の両側にはガイド５、５を設けていて、同ガイド５、５は、ロック用プレート２の対辺部たる辺部２ａ、２ａをスライド可能にガイドするように、同ロック用プレート２に形状等を対応させている。
【００２６】
そして、ガイド５、５における少なくともロック用プレート２の辺部２ａ、２ａをガイドできる同ガイド５、５間が、保持部３におけるロック用プレート２のスライド挿入路となる。
【００２７】
また、保持部３には、係止爪６と移動片７を配したアーム体８を設けていて、係止爪６は、一側のガイド５の途中を切断して設けた空間より保持部３上に突出させ、移動片７は、同天部を保持部３方向に向けて同図上における保持部３の下方に配している。
【００２８】
また、アーム体８は、軸９によって保持部３面にほぼ平行をなす面で回転できるように支持されていて、さらに、初期位置に復帰させるための例えばねじりコイルばね等の初期位置復帰手段を設けているが、図示は省略した。
【００２９】
クリップ片４は、クリップ本体１の背面上部から後方に垂下し、同クリップ本体１の背面との間にベルトを入れることのできる空間たるベルト挿通部１０を形成できるようにしている。
【００３０】
また、クリップ片４は、素材の性質やクリップ本体１との接合部構造により弾性を有していて、下部間が外力によって離間でき、かつ弾性復元力によって初期位置に復帰できるようにしている。
【００３１】
以下、上述のように構成した本考案に係る巻尺用ベルトクリップの作用について説明する。
また、本ベルトクリップは、図６に示すように、ベルト挿通部１０に作業者が装着しているベルト１３を通して同ベルト１３に係着して使用している。
【００３２】
通常、ロック用プレート２は図５に示すように巻尺１２に装着しているが、図を見やすくするため、ロック用プレート２は巻尺に装着していない状態で、同ベルトクリップの作用を説明する。
【００３３】
先ず、巻尺をベルトクリップに固定保持する場合は、図１に示されるように、ロック用プレート２の辺部２ａ、２ａを、クリップ本体１の保持部３に備えるガイド５、５の溝部５ａ、５ａにおける上方に嵌め、下方にスライド挿入する。
【００３４】
そうすると、ロック用プレート２はガイド５、５に案内されて下方に移動する途中でガイド５内に突出するアーム体８の係止爪６と接触し、係止爪６を強制的にガイド５外に退けてさらにガイド５、５に案内されて下方に移動する。
【００３５】
そして、ロック用プレート２がガイド５、５に案内されて下方に移動して同ガイド５、５のほぼ下端に達すると、図２に示すように、ガイド５外に退いていたアーム体８の係止爪６がロック用プレート２の切欠き２ｂ内に自動進出する。
【００３６】
これにより、ロック用プレート２はガイド５、５からの退出が阻止されて、ガイド５、５内すなわち保持部３内に固定保持される。
【００３７】
そして、ベルトクリップに固定保持している巻尺を取り外す場合は、図３中の（ａ）図に示されるように、アーム体８を保持部３面にほぼ平行に回動させると、ロック用プレート２の切欠き２ｂ内に突出しているアーム体８の係止爪６が同切欠き２ｂ内より退出し、ロック用プレート２の固定が解除される。
【００３８】
さらに、アーム体８を回動させて行くと、ロック用プレート２の下方に位置しているアーム体８の移動片７がロック用プレート２と接触して同ロック用プレート２を押し上げて、ロック用プレート２の上部における辺部２ａ、２ａ上縁がガイド５、５による案内区間の外に退出する。
【００３９】
したがって、アーム体８により固定を解除したロック用プレート２を保持部３に有するガイド５、５内の取り出し易い位置まで移動させるので、同位置までのロック用プレート２の上昇移動が安定し、かつロック用プレート２の辺部２ａ、２ａ上縁をガイド５、５による案内区間の外に出しているので、これ以後のロック用プレート２の取り出しを作業者自身に任せても、ロック用プレート２の辺部２ａ、２ａ上縁とガイド５、５面とが引っ掛かることはなく、また、ガイド５、５内に残る部位もスムースに上昇移動してガイド５、５内から出て行く。
【００４０】
また、ガイド５、５の形態、例えば、ロック用プレート２の入り口を広くするためガイド５、５間の上方寄りを広げる場合等は、アーム体８によるロック用プレート２の押し上げを、ロック用プレート２の辺部２ａ、２ａ上縁をガイド５、５の外に出さずに、同辺部２ａ、２ａの上縁とガイド５、５の溝部５ａ、５ａとの嵌合が解除される位置までの押し上げにする場合がある。
【００４１】
また、保持部３乃至ガイド５、５の溝部５ａ、５ａは、必要に応じて、薬剤の塗布や部材の形状等により摩擦低減処理を行って、挿入するロック用プレート２との摺動摩擦をなるべく低減できるようにする場合がある。
【００４２】
また、アーム体８を外部接触より保護するためのカバーを、クリップ本体１における所定の部位に設ける場合がある。
【００４３】
また、本ベルトクリップのベルトへの係着方法も、実施例に示しているクリップ片４以外の方法で係着してもよい。
【００４４】
実施例における図中の符号２ｃは、巻尺ケースとガイド５、５との接触を防止するために設けているスペーサ、  符号１１は、巻尺ケースと接続する落下防止用の紐体に有するフックを係着するための通孔である。
【符号の説明】
【００４５】
１  クリップ本体
２  ロック用プレート
２ａ  辺部
２ｂ  切欠き
２ｃ  スペーサ
３  保持部
４  クリップ片
５  ガイド
５ａ  溝部
６  係止爪
７  移動片
８  アーム体
９  軸
１０  ベルト挿通部
１１  通孔
１２  巻尺
１３  ベルト
【図１】
0003156562.tif 000003
【図２】
0003156562.tif 000004
【図３】
0003156562.tif 000005
【図４】
0003156562.tif 000006
【図５】
0003156562.tif 000007
【図６】
0003156562.tif 000008